(57)【要約】【課題】店舗等において商品の照明に用いられる照明装置において、商品の誘目性を向上する。【解決手段】本照明装置の光源部２は、目立ち指数の高い光を出射する高ＦＣＩ発光素子２１と、高ＦＣＩ発光素子２１の周囲に配置され目立ち指数の低い光を出射する低ＦＣＩ発光素子２２と、これら発光素子２１、２２を個別に調光制御する制御部５と、を有する。この構成によれば、商品に対する配光及び商品の色の見え方の両方を変化させることができるので、商品の誘目性を向上することができる。【選択図】図１
2014222579.tif 000002
【特許請求の範囲】
【請求項１】
目立ち指数ＦＣＩの高い光を出射する高ＦＣＩ発光素子と、
前記高ＦＣＩ発光素子の周囲に配置され該高ＦＣＩ発光素子よりも目立ち指数の低い光を出射する低ＦＣＩ発光素子と、
前記高ＦＣＩ発光素子及び低ＦＣＩ発光素子を個別に調光制御する制御部と、を有する光源部を備えたことを特徴とする照明装置。
【請求項２】
前記光源部は、円板形状とされ、その一面の中央に前記高ＦＣＩ発光素子が配置され、その一面の周縁に前記低ＦＣＩ発光素子が配置されていることを特徴とする請求項１に記載の照明装置。
【請求項３】
前記高ＦＣＩ発光素子は、１つの高出力発光素子により構成され、
前記低ＦＣＩ発光素子は、複数の低出力発光素子により構成されていることを特徴とする請求項１又は請求項２に記載の照明装置。
【請求項４】
前記高ＦＣＩ発光素子から出射された光を該高ＦＣＩ発光素子の正面方向に集光するレンズを更に備えたことを特徴とする請求項１乃至請求項３のいずれか一項に記載の照明装置。
【請求項５】
前記高ＦＣＩ発光素子から出射された光を該高ＦＣＩ発光素子の正面方向に反射する反射板を更に備えたことを特徴とする請求項１乃至請求項３のいずれか一項に記載の照明装置。
【請求項６】
前記高ＦＣＩ発光素子と前記反射板との相対位置は、調整可能となっていることを特徴とする請求項５に記載の照明装置。
【請求項７】
ユーザからの操作入力を受け付けるリモコン又はスイッチを更に備え、
前記制御部は、前記リモコン又はスイッチへの操作入力に応じて前記高ＦＣＩ発光素子及び低ＦＣＩ発光素子を調光制御することを特徴とする請求項１乃至請求項６のいずれか一項に記載の照明装置。
【請求項８】
前記高ＦＣＩ発光素子及び低ＦＣＩ発光素子の点灯時間を計時するタイマを更に備え、
前記制御部は、前記タイマにより計時された点灯時間に応じて前記高ＦＣＩ発光素子及び低ＦＣＩ発光素子を調光制御することを特徴とする請求項１乃至請求項７のいずれか一項に記載の照明装置。
【請求項９】
前記高ＦＣＩ発光素子及び低ＦＣＩ発光素子の近傍に存在する人を検知する人検知センサを更に備え、
前記制御部は、前記人検知センサによる人検知に応じて前記高ＦＣＩ発光素子及び低ＦＣＩ発光素子を調光制御することを特徴とする請求項１乃至請求項８のいずれか一項に記載の照明装置。
【発明の詳細な説明】
【技術分野】
【０００１】
本発明は、店舗等において商品の照明に用いられる照明装置に関する。
【背景技術】
【０００２】
店舗等における商品の照明手法は、購買者の購買意欲に大きな影響を与え、例えば、特定の商品を高輝度光で照明すれば、その商品の誘目性を高めて該商品を購買者に強く印象づけることができる。このような照明に用いられる照明装置として、商品の陳列状態に応じて最適な配光が得られるように、天井等に設けられた配線ダクトに沿って位置調整可能に構成されたものがある。しかしながら、このような照明装置では、商品の陳列状態を変更する度に照明装置の位置を調整する必要があるので操作性が良くない。そこで、照明装置の位置を固定し、互いに配光の異なる複数種のＬＥＤを個別に調光制御することで配光を変化させることができる照明装置が知られている（例えば、特許文献１参照）。
【０００３】
一方、上記のように配光を変化させることで商品の誘目性を高める照明装置の他に、商品の色の見え方を変化させることで該商品の誘目性を高める照明装置も知られている（例えば、特許文献２参照）。このような照明装置は、例えば、花屋において緑色が際立つように植物を照明し、その植物の「目立ち度」を高める。このような「目立ち度」を評価する指標の一つとして、下記の式（１）で定義される目立ち指数（ＦＣＩ：Feeling of Contrast Index）が知られている（例えば、非特許文献１参照）。式（１）において、GLab(T)は、テスト光源における赤・青・緑・黄の４色配色サンプルのＬａｂ表色系での色域面積を表し、GLab(D65)は、標準光源Ｄ６５における同表色系での色域面積を表す。ＦＣＩが１００よりも大きい光を照射する照明装置は、標準光源を有する照明装置よりも、商品を色鮮やかに演出することができる。
【数１】
2014222579.tif 000003
【先行技術文献】
【特許文献】
【０００４】
【特許文献１】特開２０１１−２２２１８２号公報
【特許文献２】特許第３０４０７１９号
【非特許文献】
【０００５】
【非特許文献１】新編色彩科学ハンドブック［第３版］日本色彩学会編
【発明の概要】
【発明が解決しようとする課題】
【０００６】
しかしながら、上述した特許文献１、２に記載されたような照明装置では、商品の誘目性を十分に向上できないことがある。
【０００７】
本発明は、上記課題を解決するものであって、店舗等において商品の照明に用いられる照明装置において、商品（視対象物）の誘目性を向上することができる照明装置を提供することを目的とする。
【課題を解決するための手段】
【０００８】
本発明の照明装置は、目立ち指数ＦＣＩの高い光を出射する高ＦＣＩ発光素子と、前記高ＦＣＩ発光素子の周囲に配置され該高ＦＣＩ発光素子よりも目立ち指数の低い光を出射する低ＦＣＩ発光素子と、前記高ＦＣＩ発光素子及び低ＦＣＩ発光素子を個別に調光制御する制御部と、を有する光源部を備えることを特徴とする。
【０００９】
前記光源部は、円板形状とされ、その一面の中央に前記高ＦＣＩ発光素子が配置され、その一面の周縁に前記低ＦＣＩ発光素子が配置されていることが好ましい。
【００１０】
前記高ＦＣＩ発光素子は、１つの高出力発光素子により構成され、前記低ＦＣＩ発光素子は、複数の低出力発光素子により構成されていることが好ましい。
【００１１】
上記照明装置は、前記高ＦＣＩ発光素子から出射された光を該高ＦＣＩ発光素子の正面方向に集光するレンズを更に備えることが好ましい。
【００１２】
上記照明装置は、前記高ＦＣＩ発光素子から出射された光を該高ＦＣＩ発光素子の正面方向に反射する反射板を更に備えることが好ましい。
【００１３】
前記高ＦＣＩ発光素子と前記反射板との相対位置は、調整可能となっていることが好ましい。
【００１４】
上記照明装置は、ユーザからの操作入力を受け付けるリモコン又はスイッチを更に備え、前記制御部は、前記リモコン又はスイッチへの操作入力に応じて前記高ＦＣＩ発光素子及び低ＦＣＩ発光素子を調光制御することが好ましい。
【００１５】
上記照明装置は、前記高ＦＣＩ発光素子及び低ＦＣＩ発光素子の点灯時間を計時するタイマを更に備え、前記制御部は、前記タイマにより計時された点灯時間に応じて前記高ＦＣＩ発光素子及び低ＦＣＩ発光素子を調光制御することが好ましい。
【００１６】
上記照明装置は、前記高ＦＣＩ発光素子及び低ＦＣＩ発光素子の近傍に存在する人を検知する人検知センサを更に備え、前記制御部は、前記人検知センサによる人検知に応じて前記高ＦＣＩ発光素子及び低ＦＣＩ発光素子を調光制御することが好ましい。
【発明の効果】
【００１７】
本発明によれば、目立ち指数の高い光を出射する高ＦＣＩ発光素子と、この高ＦＣＩ発光素子の周囲に配置され目立ち指数の低い光を出射する低ＦＣＩ発光素子と、を個別に調光制御する。これにより、視対象物に対する配光と視対象物の色の見え方を変化させて、視対象物の誘目性を向上することができる。
【図面の簡単な説明】
【００１８】
【図１】本発明の実施形態に係る照明装置の斜視図。
【図２】（ａ）は上記照明装置を構成する光源部の平面図、（ｂ）は（ａ）のＩ−Ｉ線断面図、（ｃ）は同光源部から照射される光の配光曲線を示す図。
【図３】（ａ）は上記光源部を構成する発光素子の一例を示す断面図、（ｂ）は同発光素子の他の例を示す断面図。
【図４】（ａ）は他の実施形態に係る照明装置を構成する光源部の平面図、（ｂ）は同光源部から照射される光の配光曲線を示す図。
【図５】（ａ）は更に他の実施形態に係る照明装置を構成する光源部の平面図、（ｂ）は（ａ）のＩ−Ｉ線断面図、（ｃ）は（ｂ）に示した状態から高ＦＣＩ発光素子の配置を変更した状態を示す図。
【図６】更に他の実施形態に係る照明装置を構成する光源部の平面図。
【図７】更に他の実施形態に係る照明装置を構成する光源部の平面図。
【発明を実施するための形態】
【００１９】
本発明の実施形態に係る照明装置について図１乃至図３を参照して説明する。図１に示すように、照明装置１は、例えば、天井等に固定された支持体Ｓに取り付けられるスポットライトやダウンライトとして用いられる。照明装置１は、円板形状の光源部２と、光源部２の発光を遠隔操作するためのリモコン３と、光源部２を保持する筐体１１と、筐体１１を支持体Ｓに対して角度調整可能に連結する連結部１２と、を備える。
【００２０】
図２（ａ）（ｂ）に示すように、光源部２は、目立ち指数（ＦＣＩ）の高い光を出射する高ＦＣＩ発光素子２１と、高ＦＣＩ発光素子２１よりも目立ち指数の低い光を出射する低ＦＣＩ発光素子２２と、を有する。ここで言うＦＣＩとは、上記式（１）で定義される値である。すなわち、ＦＣＩは、テスト光源における赤・青・緑・黄の４色配色サンプルのＬａｂ表色系での色域面積をGLab(T)とし、基準光源Ｄ６５下における同色域面積をGLab(D65)としたときに、[GLab(T)/GLab(D65)]1.5x100で表される。また、光源部２は、これら発光素子２１、２２を一面（発光素子実装面４１）に実装する配線基板４と、発光素子２１、２２を個別に調光制御する制御部５と、高ＦＣＩ発光素子２１から出射された光を配光制御するレンズ６と、を有する。
【００２１】
高ＦＣＩ発光素子２１及び低ＦＣＩ発光素子２２は、それぞれ高出力ＬＥＤ及び低出力ＬＥＤにより構成され、各々の光軸が配線基板４の発光素子実装面４１と直交する方向と一致するようにして発光素子実装面４１に配置されている。高ＦＣＩ発光素子２１は、光源部２の中央に配置され、低ＦＣＩ発光素子２２は、高ＦＣＩ発光素子２１の周囲（光源部２の周縁）に配置されている。図例では、４つの高ＦＣＩ発光素子２１が、正方形の各頂点に位置するように配置され、この正方形の各辺中央に対応する位置にそれぞれ低ＦＣＩ発光素子２２が配置されている。
【００２２】
４つの高ＦＣＩ発光素子２１からの出射光（図２（ｃ）において破線で示す）は、互いに隣接する高ＦＣＩ発光素子２１各々からの出射光（一点鎖線で示す）が重なり合うことにより、光源部２の中心軸Ｃにおいて最も強くなる。高ＦＣＩ発光素子２１からの光は、視対象物を高輝度に照明するのに用いられ、低ＦＣＩ発光素子２２からの光は、視対象物周囲の明るさを確保するのに用いられる。
【００２３】
高ＦＣＩ発光素子２１から出射される光と低ＦＣＩ発光素子２２から出射される光との間には、目立ち指数に１０以上の差があることが好ましい。目立ち指数に１０以上の差があれば、ユーザは、通常、これら発光素子２１、２２から出射される光に違いがあることを認識することができる。また、高ＦＣＩ発光素子２１から出射される光の色温度は、低ＦＣＩ発光素子２２から出射される光の色温度と異なっていてもよいし、同一であってもよい。なお、ＪＩＳＺ９１１２に記載されている色温度範囲は、マックアダム楕円の７倍を包括するように規定されている。従って、発光素子２１、２２から出射される光の色温度差を７倍以下、より好ましくは、製品のばらつき範囲を規定する場合に用いられることもある３倍以下とすれば、これら発光素子２１、２２から出射される光の色温度は、実質的に同一となる。
【００２４】
制御部５は、配線基板４の発光素子実装面４１とは反対側の面に取り付けられている。制御部５は、商用電源から高ＦＣＩ発光素子２１及び低ＦＣＩ発光素子２２への給電を制御し、これら発光素子２１、２２の合計消費電力が一定となるようにして発光素子２１、２２の消費電力比を１００：０〜０：１００の範囲で調整する。制御部５は、急激な消費電力比の変化によって照射光に違和感が生じるのを防止するために、消費電力比を徐々に変化させるモードを有することが好ましい。
【００２５】
レンズ６は、高ＦＣＩ発光素子２１を覆うようにして配線基板４の発光素子実装面４１に取り付けられている。レンズ６は、高ＦＣＩ発光素子２１と対向する面が凸となった凸レンズとされ、高ＦＣＩ発光素子２１から出射された光（図２（ｂ）において破線矢印で示す）を高ＦＣＩ発光素子２１の正面方向に集光する。これにより、高ＦＣＩ発光素子２１から出射された光は、光源部２の中心軸Ｃを中心とした狭角配光として外部に照射される。
【００２６】
リモコン３は、例えば、高ＦＣＩ発光素子２１の発光輝度を調整するための押しボタン３１と、低ＦＣＩ発光素子２２の発光輝度を調整するための押しボタン３２と、光源部２への電力供給をオンオフする電源ボタン３３と、を有する。リモコン３は、これらボタン３１乃至３３に対するユーザからの操作入力に応じて、所定の赤外線信号を発信する。リモコン３から発信された赤外線信号は、光源部２に設けられたリモコン受信部３４により受信される。リモコン受信部３４は、受信した赤外線信号を発光素子２１、２２を調光制御するための所定の調光信号に変換して制御部５に出力する。なお、光源部２の調光操作は、上記のようなリモコン３を用いたものに限定されず、例えば、照明装置１を設置した部屋の壁面等に光源部２を調光操作するためのスイッチを設け、このスイッチと制御部５とを配電線により有線接続して行ってもよい。
【００２７】
図３（ａ）に示すように、高ＦＣＩ発光素子２１は、ＬＥＤチップ２３と、ＬＥＤチップ２３を収容する基台２４と、ＬＥＤチップ２３を封止する封止材２５と、封止材２５に分散されＬＥＤチップ２３からの光を波長変換して出射する蛍光体２６と、を有する。なお、低ＦＣＩ発光素子２２も、高ＦＣＩ発光素子２１と同様に構成されている。
【００２８】
ＬＥＤチップ２３は、例えば、青色光を出射する窒化ガリウム系青色ＬＥＤチップにより構成される。基台２４は、その中央に底面へ向かうにつれて内径が小さくなる凹部２４ａを有し、凹部２４ａの底面にＬＥＤチップ２３が配置されている。凹部２４ａの内周面には、高い光反射率を有する材料、例えば、銀やアルミニウムにより構成された薄膜が設けられている。封止材２５は、ＬＥＤチップ２３からの光を透過する透光性材料、例えば、透明シリコーン樹脂により構成され、好ましくは光を拡散する拡散材を含む。蛍光体２６は、所望の蛍光体、例えば、ＢＯＳＥ系蛍光体やＣＡＳＮ系蛍光体により構成され、複数種の蛍光体により構成されていてもよい。ＬＥＤチップ２３と蛍光体２６との組み合わせにより、高ＦＣＩ発光素子２１から出射される光のＦＣＩ及び色温度が決定される。
【００２９】
また、図３（ｂ）に示すように、高ＦＣＩ発光素子２１は、ＬＥＤチップ２３に対向して基台２４に取り付けられ特定波長域の光の透過を制御するフィルタ２７を更に有していてもよい。フィルタ２７は、例えば、ガラスや樹脂等の母材に特定波長域の光を吸収する吸収剤を分散させた吸収型フィルタや、同母材に特定波長域の光を反射する金属薄膜又は誘電体薄膜を積層した反射型フィルタにより構成される。このようなフィルタ２７を有する高ＦＣＩ発光素子２１から出射される光のＦＣＩ及び色温度は、ＬＥＤチップ２３、蛍光体２６及びフィルタ２７の組み合わせにより決定される。
【００３０】
上記のように構成された照明装置１によれば、目立ち指数の高い光を出射する高ＦＣＩ発光素子２１と、高ＦＣＩ発光素子２１の周囲に配置され目立ち指数の低い光を出射する低ＦＣＩ発光素子２２と、を制御部５により個別に調光制御する。これにより、視対象物に対する配光及び視対象物の色の見え方の両方を変化させて、視対象物の誘目性を顕著に向上することができる。
【００３１】
次に、本発明の他の実施形態に係る照明装置を構成する光源部について図４（ａ）（ｂ）を参照して説明する。図４（ａ）に示すように、光源部２ａでは、高ＦＣＩ発光素子２１が、１つの高出力ＬＥＤにより構成されている。これにより、図４（ｂ）に示すように、高ＦＣＩ発光素子２１からの配光曲線（破線で示す）がなだらかになり、視対象物を自然な光で照明することができる。
【００３２】
次に、本発明の更に他の実施形態に係る照明装置を構成する光源部について図５（ａ）乃至（ｃ）を参照して説明する。図５（ａ）（ｂ）に示すように、光源部２ｂでは、配線基板４の発光素子実装面４１に凹部４２が設けられ、この凹部４２の底面に高ＦＣＩ発光素子２１が配置されている。凹部４２は、底面に向かうにつれて内径が小さくなる円錐台形状とされ、その内周面には光を反射する反射板７が設けられている。反射板７は、光反射性の高い材料、例えば、アルミニウムや鏡面反射材料により構成され、高ＦＣＩ発光素子２１から側方に出射された光（図５（ｂ）において破線矢印で示す）を高ＦＣＩ発光素子２１の正面方向に反射する。
【００３３】
上記のように光源部２ｂを構成することで、上述したレンズ６を設けなくても、高ＦＣＩ発光素子２１から出射された光の中心軸Ｃにおける放射強度を高めることができる。なお、反射板７の反射面を凹状の楕円面に構成し、この楕円面の一方の焦点に高ＦＣＩ発光素子２１を配置して、反射板７による反射光がもう一方の焦点に集光するようにしてもよい。また、光を拡散する拡散材を含んだ透光性材料を凹部４２を覆うようにして配線基板４に取り付け、反射板７により反射された光を該拡散材によって拡散してから外部に出射させる構成としてもよい。
【００３４】
また、図５（ｃ）に示すように、光源部２ｂでは、高ＦＣＩ発光素子２１と反射板７との相対位置が調整可能となっている。このようにすることで、高ＦＣＩ発光素子２１を反射板７に対して移動させると高ＦＣＩ発光素子２１から側方に出射された光の光路（破線矢印で示す）が変化するので、高ＦＣＩ発光素子２１から出射される光の配光を変化させることができる。
【００３５】
次に、本発明の更に他の実施形態に係る照明装置を構成する光源部について図６を参照して説明する。光源部２ｃでは、高ＦＣＩ発光素子２１及び低ＦＣＩ発光素子２２の点灯時間を計時するタイマ８が設けられている。タイマ８は、配電線８１により制御部５と接続されている。制御部５は、タイマ８により計時された点灯時間に応じて高ＦＣＩ発光素子２１及び低ＦＣＩ発光素子２２を調光制御し、例えば、経時的に発光素子２１、２２の消費電力比を変化させる。このようにすることで、光源部２ｃから照射される光の配光及び目立ち指数が経時的に変化するので、視対象物の誘目性を向上することができる。
【００３６】
次に、本発明の更に他の実施形態に係る照明装置を構成する光源部について図７を参照して説明する。光源部２ｄでは、高ＦＣＩ発光素子２１及び低ＦＣＩ発光素子２２の近傍に存在する人を検知する人検知センサ９が設けられている。人検知センサ９は、例えば、人から放射される赤外線を認識することで人を検知し、配線基板４に設けられた配線パターン（不図示）を介して制御部５と接続されている。
【００３７】
制御部５は、人検知センサ９による人検知に応じて高ＦＣＩ発光素子２１及び低ＦＣＩ発光素子２２を調光制御する。例えば、制御部５は、人検知センサ９が人を検知していないときには、低ＦＣＩ発光素子２２のみを点灯させて全体的な明るさを確保し、人検知センサ９が人を検知しているときには、両発光素子２１、２２を点灯させて視対象物（商品）を高輝度に照明する。ここで、一般的に、色の見え方を重視した高ＦＣＩ発光素子２１の発光効率は、視感度効率を重視した低ＦＣＩ発光素子２２の発光効率よりも２割程度低い。従って、光源部２ｄによれば、商品の近傍に人が存在しないときには発光効率の低い高ＦＣＩ発光素子２１を消灯することができるので、高ＦＣＩ発光素子２１を常時点灯している場合に比べて、省エネルギー化を図ることができる。
【００３８】
なお、本発明に係る照明装置は、上記実施形態に限定されず種々の変形が可能である。例えば、発光素子は、必ずしもＬＥＤにより構成される必要は無く、蛍光灯や有機ＥＬ素子により構成されてもよい。また、光源部の形状は、円板形状に限定されず、例えば、平面視で矩形状や六角形状とされてもよい。更に、タイマと人検知センサの両方を備えた構成として、人検知センサが人を検知するとタイマが作動して、照射光が経時的に変化するようにしてもよい。
【符号の説明】
【００３９】
１  照明装置
２１  高ＦＣＩ発光素子
２２  低ＦＣＩ発光素子
３  リモコン
５  制御部
６  レンズ
７  反射板
８  タイマ
９  人検知センサ
【図１】
2014222579.tif 000004
【図２】
2014222579.tif 000005
【図３】
2014222579.tif 000006
【図４】
2014222579.tif 000007
【図５】
2014222579.tif 000008
【図６】
2014222579.tif 000009
【図７】
2014222579.tif 000010